(57)【特許請求の範囲】
【請求項１】
遊技球を貯留可能な球受け皿を備えた遊技機において、
前記球受け皿の球抜き孔を開閉する開閉手段と、
該開閉手段を開閉操作する操作手段と、
前記開閉手段を閉位置に付勢する付勢手段と、
前記操作手段の操作に基づいて前記開閉手段の一部が前記球抜き孔の領域内に止まる第１開放状態に前記開閉手段を維持させ、前記操作手段の操作に基づいて前記開閉手段が開状態から閉状態に切り替わる場合に、前記球抜き孔を前記第１開放状態よりも大きく開放する第２開放状態に前記開閉手段を変位させた後に前記付勢手段により前記閉位置に変位させる変位手段とを備えた
ことを特徴とする遊技機。
【請求項２】
前記球受け皿は供給される遊技球の案内口と、該案内口からの遊技球を前記球抜き孔に案内する傾斜面部とを備え、
前記開閉手段の前記球抜き孔内に止まる残存部は前記第１開放状態のときに前記傾斜面部の近傍に位置している
ことを特徴とする請求項１に記載の遊技機。
【請求項３】
前記変位手段は前記開閉手段が前記第２開放状態を開方向に超えたときに前記開閉手段を解除する
ことを特徴とする請求項１又は２に記載の遊技機。
【請求項４】
前記開閉手段を前記球抜き孔の開閉方向に案内する案内手段を備えた
ことを特徴とする請求項１〜３の何れかに記載の遊技機。
【請求項５】
前記変位手段は前記第１開放状態からの前記操作手段の開方向への操作に基づいて前記開閉手段を前記第２開放状態に維持する
ことを特徴とする請求項１〜４の何れかに記載の遊技機。
【発明の詳細な説明】
【技術分野】
【０００１】
本発明は、パチンコ機等の遊技機に関するものである。
【背景技術】
【０００２】
パチンコ機等の遊技機では、上皿から供給された遊技球を発射手段により遊技盤側に発射し、発射した遊技球が遊技盤上の入賞口、その他の入賞手段に入賞した場合には、その時の入賞条件に応じて払い出し手段が作動して所定数の遊技球を上皿に払い出すようになっている。
【０００３】
また、上皿の下方には下皿が設けられ、上皿が満杯状態になったときの溢流球や、抜き取りレバーを操作して上皿から抜き取られた抜き取り球等が、溢流通路、抜き取り通路を介して上皿から下皿に案内されるようになっている。
【０００４】
更に、下皿の底面には、開閉可能な球抜き孔が設けられており、例えば下皿カバーの前側に設けられた球抜き孔開閉レバーを操作して球抜き孔を開放し、下皿内の遊技球を下側の球受け箱に排出し得るようになっている（例えば特許文献１）。
【先行技術文献】
【特許文献】
【０００５】
【特許文献１】特開２００４−１８０８９０号公報
【発明の概要】
【発明が解決しようとする課題】
【０００６】
ところで、この種の遊技機では、例えば下皿が遊技球で一杯になった状態で、遊技者が球抜き孔開閉レバーを操作して下皿の球抜き孔を開放しているにもかかわらず、球抜き孔箇所で球詰まりが発生し、下皿の遊技球が球受け箱に排出されないことがある。
【０００７】
本発明は、上記事情に鑑みてなされたものであり、球受け皿での球詰まりを低減することができる遊技機を提供することを目的とする。
【課題を解決するための手段】
【０００８】
本発明は、遊技球を貯留可能な球受け皿を備えた遊技機において、前記球受け皿の球抜き孔を開閉する開閉手段と、該開閉手段を開閉操作する操作手段と、前記開閉手段を閉位置に付勢する付勢手段と、前記操作手段の操作に基づいて前記開閉手段の一部が前記球抜き孔の領域内に止まる第１開放状態に前記開閉手段を維持させ、前記操作手段の操作に基づいて前記開閉手段が開状態から閉状態に切り替わる場合に、前記球抜き孔を前記第１開放状態よりも大きく開放する第２開放状態に前記開閉手段を変位させた後に前記付勢手段により前記閉位置に変位させる変位手段とを備えたものである。
【０００９】
前記球受け皿は供給される遊技球の案内口と、該案内口からの遊技球を前記球抜き孔に案内する傾斜面部とを備え、前記開閉手段の前記球抜き孔内に止まる残存部は前記第１開放状態のときに前記傾斜面部の近傍に位置するようにしてもよい。
【００１０】
前記変位手段は前記開閉手段が前記第２開放状態を開方向に超えたときに前記開閉手段を解除するようにしてもよい。
【００１１】
前記開閉手段を前記球抜き孔の開閉方向に案内する案内手段を備えたものでもてもよい。
【００１２】
前記変位手段は前記第１開放状態からの前記操作手段の開方向への操作に基づいて前記開閉手段を前記第２開放状態に維持するようにしてもよい。
【発明の効果】
【００１６】
本発明によれば、球受け皿での球詰まりを低減することができる遊技機を提供することができる。
【図面の簡単な説明】
【００１７】
【図１】本発明の一実施形態を示すパチンコ機の正面図である。
【図２】同パチンコ機の下球受け皿箇所の部分正面図である。
【図３】（ａ）は球抜き孔が閉塞状態で（ｂ）は球抜き孔内に残存部が止まった開状態での下球受け皿の正面断面図である。
【図４】下球受け皿の平面断面図である。
【図５】図４の要部の拡大図である。
【図６】図４のＸ−Ｘ線断面図である。
【図７】図４のＸ−Ｘ線断面図である。
【図８】開閉板が全開した下球受け皿の平面断面図である。
【図９】開状態のロック機構の平面断面図である。
【図１０】（ａ）〜（ｄ）は球抜きレバー操作によって開閉板が各開位置に変位することを説明するための下球受け皿の平面断面図である。
【図１１】（ａ）〜（ｄ）は球抜きレバー操作によって球詰まりが解消されることを説明するための下球受け皿の正面断面図である。
【図１２】（ａ），（ｂ）は各変形例のロック機構を示す図である。
【図１３】変形例のロック機構を示す下球受け皿の平面断面図である。
【図１４】変形例のロック機構を示す下球受け皿の正面断面図である。
【発明を実施するための形態】
【００１８】
以下、本発明の実施形態を図面に基づいて詳述する。図１〜図１１は本発明をパチンコ機に採用した一実施形態を例示している。図１において、遊技機１は、矩形状の外枠２と、この外枠２の前側に開閉自在に枢着された前枠３とを備えている。前枠３の前側には、ガラス扉４と前面板５とが上下に配置され、このガラス扉４と前面板５とが前枠３に開閉自在に枢支されている。
【００１９】
ガラス扉４に設けられた窓孔４ａには例えば２枚のガラス板（図示省略）が嵌め込まれ、その後側には遊技盤８が前枠３に対して例えば前側から着脱自在に装着されている。
【００２０】
前面板５には上球受け皿６が装着され、この上球受け皿６の左側上面部に球払い出しボタン７が設けられている。前枠３の下部には下球受け皿９（球受け皿）と発射手段１０の操作ハンドル１１とが設けられ、操作ハンドル１１を操作した時に、上球受け皿６から遊技球が１個ずつ発射部に供給され、その遊技球を発射モータの作動により遊技盤８側に発射するようになっている。
【００２１】
なお、上球受け皿６には、遊技盤８の入賞手段等に遊技球が入球した入賞時に、球払い出し手段（図示省略）により払い出された遊技球が払い出し口（図示省略）から入るようになっている。
【００２２】
また、下球受け皿９には、上球受け皿６の遊技球が満杯状態の時に、この上球受け皿６から溢流する遊技球が球案内口１３（案内口）から案内されて入ると共に、球払い出しボタン７を操作して上球受け皿６の遊技球を抜いた時に、その遊技球が球案内口１３から案内されて入るようになっている。
【００２３】
下球受け皿９は、図６に示すように、前面板５に設けられたベース板１４と、このベース板１４の下部から前方に突出する化粧カバー１５とに跨がって装着されている。化粧カバー１５には、図４及び図６に示すように、下球受け皿９の底部１６が嵌合する横長状の開口部１７が形成されている。下球受け皿９には、図３及び図６に示すように、この下球受け皿９内の遊技球を下方に抜き取るための球抜き孔１８が底部１６側に形成されている。また、下球受け皿９の底部１６は、図３に示すように、その上面側に、球案内口１３からの遊技球を球抜き孔１８に下り案内する傾斜面１６ａ（傾斜面部）が形成されている。
【００２４】
下球受け皿９の下側には、図３及び図４に示すように、この下球受け皿９の底部１６との間に所定の間隙をおいた状態で、開口部１７から下方に突出する四本のボス部１９と、この各ボス部１９に螺合するネジ２０とを介して、支持カバー２１が下側から着脱自在に装着されている。支持カバー２１は左右両側及び前側に起立周縁部２２を備え、この起立周縁部２２を化粧カバー１５の底面に下側から当接させて開口部１７を下側から塞いでいる。
【００２５】
支持カバー２１と下球受け皿９の底部１６との間には、球抜き孔１８を開閉すべく左右方向に移動自在な開閉板２３（開閉手段）と、この開閉板２３を閉方向（ａ矢示方向）に付勢するコイルバネ２４  （付勢手段）と、開閉板２３をコイルバネ２４に抗して開方向に操作する球抜きレバー２５（操作手段）と、この球抜きレバー２５を開方向（ｂ矢示方向）に操作する毎に、開閉板２３を閉位置Ｃ（図４の実線位置）と開位置Ｏ１（図８の実線位置）とに交互にロックするロック機構２６（変位手段）と、が介在されている。なお本実施形態では、開閉板２３（開閉手段）は左右方向に移動可能としているが前後方向や斜め方向など種々の方向に移動可能としてもよい。
【００２６】
図８に示すように、開閉板２３が開位置Ｏ１にあるときは、この開閉板２３の一部である殘存部２３ａが球抜き孔１８内に止まっており、球抜き孔１８が非全開状態で開放されている。この殘存部２３ａは、球抜き孔１８内において、底部１６の傾斜面１６ａに近い箇所に位置している（図３（ｂ）参照）。
【００２７】
図３、図４及び図６に示すように、支持カバー２１は開口部１７と同じように左右に長い板状であって、この支持カバー２１には下球受け皿９の球抜き孔１８と上下に相対応する開口孔２７が形成されると共に、前後両側縁に左右方向の案内部２８，２９（図４、図６及び図７参照）が平行に形成されている。前側の案内部２８は起立周縁部２２の一部に切り欠き部３０（図２参照）を形成して構成されており、この切り欠き部３０の部分で開閉板２３と球抜きレバー２５とが一体に連結されている。
【００２８】
図４、図６及び図８に示すように、開閉板２３は板状であって、下球受け皿９の底部１６と支持カバー２１との間において、前後一対の案内部２８，２９に沿って球抜き孔１８を開閉するように左右方向に摺動自在に介在され、支持カバー２１の切り欠き部３０から前方に突出する球抜きレバー２５が前側に一体に備えられている。なお、球抜きレバー２５は化粧カバー１５の前縁に沿って左右方向に配置されている。
【００２９】
開閉板２３は、前側のリブ状の案内部２８に案内される溝状の被案内部３１と、後側の案内部２９に案内されるＬ字状の被案内部３２とを前後両側に平行に備え、切り欠き部３０の範囲内で球抜き孔１８を開閉すべく左右方向に摺動自在である。なお、前側の被案内部３１は左右方向に長く形成され、この被案内部３１の左右方向の範囲内に後側の被案内部３２が設けられている。なお、前述した案内部２８，２９及び被案内部３１，３２が案内手段に相当する。
【００３０】
コイルバネ２４は、図４、図７及び図８に示すように、開閉板２３と球抜きレバー２５との間で前側の案内部２８及び被案内部３１に沿って左右方向に配置されている。そして、このコイルバネ２４は、前側の案内部２８に沿って支持カバー２１に形成されたバネ収容凹部３３内に収容され、支持カバー２１側のバネ受け部３４と開閉板２３側のバネ受け部３５との間に圧縮状態で介在されている。
【００３１】
ロック機構２６は、図３及び図４に示すように、開閉板２３から一側方に突出するロック板３６と、このロック板３６を左右方向に案内するロック板案内部３７，３８と、ロック板３６側に係合するロックピン３９とを備えている。ロック板３６は、図８に示すように開閉板２３に一体に突出形成されており、支持カバー２１側にリブ状に形成された摺動受け部４０（図３、図４参照）と、下球受け皿９の底部１６側にリブ状に形成された押さえ部４１（図７参照）とにより上下両側から挟まれた状態で左右方向に摺動自在に配置されている。
【００３２】
ロック板３６には、開閉板２３の閉位置Ｃ（図４参照）と開位置Ｏ１（図８参照）とに対応する各ロック部４２，４３と、この各ロック部４２，４３を閉ループ状に接続する循環溝４４，４５と、各ロック部４２，４３から外れたロックピン３９を常時一方の循環溝４４，４５に案内すべく振り分けるピン振り分け部４６，４７（図５参照）とが形成され、そのロック部４２，４３にロックピン３９が係脱自在に係合し、且つロックピン３９が循環溝４４，４５内を自在に移動するようになっている。
【００３３】
ロック板案内部３７，３８は、図４及び図７に示すように、ロック板３６の前後両側で左右方向にリブ状に突出しており、この一対のロック板案内部３７，３８によりロック板３６を前後両側から挟んだ状態でロック板３６を左右方向に案内するようになっている。ロックピン３９は、図７及び図９に示すように、円板状の支持板４８に固定されている。支持板４８は、図９に示すように、支持カバー２１のロック板案内部３７，３８間に前後方向に形成された摺動凹部４９内に前後方向に摺動自在に嵌合され、且つ浮上しないようにロック板３６で押さえられている。
【００３４】
次に、下球受け皿９における球抜き動作を説明する。通常、開閉板２３は図１０（ａ）に実線で示すように閉位置Ｃにあり、この開閉板２３で下球受け皿９の球抜き孔１８を閉じた状態にある。このため、図６に示すように、ベース板１４の球案内口１３から下球受け皿９に遊技球が供給されると、その遊技球は下球受け皿９内に溜まって行く。
【００３５】
開閉板２３が閉位置Ｃにある時には、ロック機構２６のロックピン３９がロック板３６のロック部４２に係合した状態（図５参照）でコイルバネ２４のバネ力が閉方向（図１０（ａ）のａ矢示方向）に作用している。このため、他の箇所から振動等があっても、開閉板２３、球抜きレバー２５等がガタ付いたり、振動によって騒音を発したりすることはない。また下球受け皿９内に多数の遊技球が溜まっても、球抜きレバー２５を開方向に操作しない限り、その重量等によって開閉板２３が移動して球抜き孔１８が開くようなこともない。
【００３６】
下球受け皿９に溜まった遊技球を抜く場合には、球抜きレバー２５の右端側に手を当てて、この球抜きレバー２５をコイルバネ２４のバネ力に抗して開方向（ｂ矢示方向）に操作する（図１０（ｂ）参照）。球抜きレバー２５をｂ矢示方向に操作すると、開閉板２３の被案内部３１，３２が支持カバー２１の案内部２８，２９に案内されるので、開閉板２３が沿ってｂ矢示方向に移動する。
【００３７】
一方、図９に示すように、ロック部４２に係合していたロックピン３９が離脱した後、ピン振り分け部４６でロックピン３９が循環溝４４側に案内されるので、開閉板２３が移動するに伴って、ロックピン３９が循環溝４４を相対的にａ矢示方向に移動する。この時、ロックピン３９を支持する支持板４８が摺動凹部４９内で前後方向に摺動して、ロックピン３９の循環溝４４に沿っての移動を可能にする。
【００３８】
そして、開閉板２３が全開位置ＯＭまで球抜きレバー２５をｂ矢示方向に操作すると（図１０（ｂ）参照）、ロックピン３９が循環溝４４の右端部まで到達するので、その後、球抜きレバー２５に対する操作力を解除する。するとコイルバネ２４のバネ力により開閉板２３がａ矢示方向に若干戻った後、図９及び図１０（ｃ）に実線で示すように、ロックピン３９が開位置Ｏ１のロック部４３に係合して、コイルバネ２４から開閉板２３に作用するバネ力によって係合状態に保持される。これによって開閉板２３を図８及び図１０（ｃ）に実線で示すように開位置Ｏ１にロックできる。
【００３９】
従って、下球受け皿９の遊技球を抜き取る際には、球抜きレバー２５を閉位置Ｃから開位置Ｏ１まで操作すれば、開閉板２３が移動して開位置Ｏ１にロックでき、球抜き孔１８が開放する。このため、遊技者は球抜きレバー２５を開方向に操作するだけでよくなり、従来のように下球受け皿９の遊技球が全てなくなるまで球抜きレバー２５を開方向に操作し続ける煩わしさがなく、下球受け皿９の遊技球を容易に抜き取ることができる。
【００４０】
次に、球抜き孔１８を閉じる場合には、球抜きレバー２５を開方向に若干押すように操作すると、コイルバネ２４に抗して開閉板２３がｂ矢示方向に移動し、ロックピン３９がロック部４３から離脱してピン振り分け部４７により循環溝４５側へと案内され、この循環溝４５の右端部まで到達し、球抜き孔１８が全開した状態となる（図１０（ｄ）参照）。
【００４１】
そして、球抜きレバー２５に対する操作力を解除すると、ロックピン３９が循環溝４５に沿って相対的にｂ矢示方向に移動するので、開閉板２３が案内部２８，２９に案内されながらコイルバネ２４のバネ力により閉方向へとａ矢示方向に移動する。そして、開閉板２３が球抜き孔１８を閉じる閉位置Ｃに到達すると、ロックピン３９がロック部４２に係合して開閉板２３を閉位置Ｃにロックする。
【００４２】
従って、球抜き孔１８を閉じる際にも、球抜きレバー２５を開方向に操作した後、その操作力を解除すれば、ロック機構２６による開位置Ｏ１でのロックを解除して開閉板２３を閉位置Ｃまで戻すことができる。以下、球抜きレバー２５を開方向に順次操作すれば、その操作毎に開閉板２３を開位置Ｏ１と閉位置Ｃとに交互にロックすることができるので、球抜きレバー２５の操作が非常に容易である。
【００４３】
開閉板２３は、支持カバー２１の案内部２８，２９に沿って開閉方向に移動するが、その案内部２８，２９及び被案内部３１，３２を前後両側に設けているため、開閉板２３を支持カバー２１の案内部２８，２９に沿って無理なく円滑に摺動させることができる。また球抜きレバー２５を左右方向に長く構成して、開閉板２３と球抜きレバー２５との連結部分を長くし、この部分に前側の被案内部３１を設けているので、この被案内部３１を左右方向に長くとることができる。しかも、前側の被案内部３１を長くすると共に、後側の被案内部３２を短く構成して、この後側の被案内部３２を前側の被案内部３１の左右方向の範囲内に位置させているので、仮に前側の案内部２８と被案内部３１との間にガタ付きがあるような場合には、この後側の被案内部３２によってそのガタ付きを防止することもできる。
【００４４】
特に、開閉板２３と球抜きレバー２５との間に案内部２８と被案内部３１とがあり、この近傍にコイルバネ２４があるので、被案内部３１の長さを長くできることと相まって、開閉板２３、球抜きレバー２５の移動が非常に円滑であり、球抜きレバー２５の拗れ等を少なくすることができる。
【００４５】
更に、下球受け皿９の底部１６の下側に間隙をおいて支持カバー２１があり、その下球受け皿９の底部１６と支持カバー２１との間に開閉板２３、ロック機構２６、コイルバネ２４を配置する一方、ロック機構２６とコイルバネ２４とを前後に並べて配置しているので、開閉板２３、ロック機構２６、支持カバー２１を含む装置全体を薄く構成することが可能であり、下球受け皿９の下側にコンパクトに装着できる。
【００４６】
また支持カバー２１側に開閉板２３、ロック機構２６、コイルバネ２４等があり、ロック機構２６とコイルバネ２４とが前後に並んでいるので、支持カバー２１を下球受け皿９に下側から装着する際には、開閉板２３等を一旦支持カバー２１側に組み付け、その後、支持カバー２１を下球受け皿９に装着することができ、組み立て時の装着作業を容易にすることができる。
【００４７】
また開閉板２３から突出するロック板３６と、このロック板３６に形成されたロック部４２、４３、循環溝４４、４５に係合するロックピン３９を備えたロック機構２６を採用し、そのロックピン３９を支持板４８に設け、この支持板４８を支持カバー２１の摺動凹部４９内に摺動自在に嵌合させているので、ロック機構２６の構造が簡単であり、バネ杆等を折り曲げて前後方向に揺動自在なロックピン３９を構成する場合に比較して、ロック機構２６側の強度を十分に確保することができる。
【００４８】
ロック板３６は開閉板２３から側方に突出しているが、このロック板３６を前後両側のロック板案内部３７、３８により左右摺動自在に案内すると共に、支持カバー２１の摺動受け部４０と下球受け皿９の押さえ部４１とにより上下両側から挟んでいるので、ロック板３６の左右移動が円滑であり、ロック機構２６側での拗れや損傷を防止又は少なくすることができる。
【００４９】
開閉板２３が開位置Ｏ１、閉位置Ｃの何れにある場合にも、コイルバネ２４のバネ力が開閉板２３側に作用して、ロック機構２６をロック状態にしているので、開閉板２３、球抜きレバー２５等のガタ付き、振動による騒音等を防止することができる。
【００５０】
例えば、開閉板２３は、球抜き孔１８を閉じる閉位置Ｃでは、球抜きレバー２５の基部側を切り欠き部３０の右端に当接させて、開閉板２３を閉位置Ｃにロックするようにしても良い。従って、この場合には、ロック板３６のロック部４２は省略することができる。実施形態では、開閉板２３を閉方向に付勢するバネとして、コイルバネ２４を用いているが、引っ張りバネ、捩じりコイルバネ等を用いても良い。
【００５１】
ここで、球抜きレバー２５を開操作して下球受け皿９の球抜き孔１８を開放したにもかかわらず、下球受け皿９の球抜き孔１８の箇所で生じた球詰まりの解消法について、図１１を用いて説明する。
【００５２】
なお、図１１（ａ）に示すように、ベース板１４の球案内口１３から下球受け皿９に遊技球が大量に供給されており、下球受け皿９内に複数段（図１１（ａ）では３段）遊技球が積み上げられた状態で溜まっているとする。
【００５３】
図１１（ｂ）に示すように球抜きレバー２５を開操作して開閉板２３を開位置Ｏ１とし、球抜き孔１８内に開閉板２３の一部（残存部２３ａ）が止まる状態で当該球抜き孔１８を開放状態とすることで、球抜き孔１８から幾つかの遊技球が排出されたが、遊技球表面に汚れや傷などがあったり、遊技球が帯電していたりして、図１１（ｃ）に示すように球抜き孔１８の箇所で遊技球がブリッジ状にバランスがとれた状態で固まってしまい、球抜き孔１８の箇所で球詰まりが生じることがある。この球詰まり状態は、図１１（ｃ）に示すように開閉板２３の残存部２３ａに遊技球が当接又は位置して、ブリッジ状にバランスがとれた状態で固まっている。
【００５４】
そこで、図１１（ｄ）に示すように、球抜きレバー２５を開操作して下球受け皿９の球抜き孔１８を全開させ、球抜き孔１８内に開閉板２３の残存部２３ａが止まらないようにし、残存部２３ａに当接又は位置していた遊技球を球抜き孔１８から落下させ、前記のバランス状態を崩すことができ、球抜き孔１８から遊技球を排出させることができ、球詰まりを解消できる。
【００５５】
この実施形態では、遊技球を貯留可能な下球受け皿９を備える遊技機において、下球受け皿９の底部１６箇所に形成され且つ遊技球を外部に排出するための球抜き孔１８と、球抜き孔１８を開閉する開閉板２３と、開閉板２３を開閉操作するために操作者によって操作される球抜きレバー２５と、球抜きレバー２５に対する開操作に基づいて開閉板２３を開方向に移動させて開閉板２３の一部である残存部２３ａが球抜き孔１８内に止まる当該球抜き孔１８の第１開放状態を維持し、且つ、第１開放状態後の球抜きレバー２５への操作に基づいて開閉板２３をさらに開方向に移動させて第１開放状態よりも開放領域が大きい第２開放状態に変位するロック機構２６と、を備えている。
【００５６】
従来のパチンコ機では、遊技球が下皿に大量に貯留された状態において、球抜きレバーが開操作されてその球抜き孔を開状態にすると、大量の遊技球が球抜き孔に一気に流れ込み、その際に流入球が例えばブリッジ状にバランスがとれた状態で固まってしまい、下皿の球抜き孔箇所で球詰まりすることがある。特に、遊技球表面に汚れや傷などがあったり、遊技球が帯電していたりすると、前記の球詰まりが生じ易い。なお、当該球詰まりはその後の球抜きレバーの開閉操作を行っても解消し難く、結局操作者の手によって下皿の球山を崩して球詰まりを解消しなければならない場合が多い。
【００５７】
これに対して、本実施形態のパチンコ機では、球抜きレバー２５を開操作すると、球抜き孔１８内の一部箇所にあえて開閉板２３の一部（残存部２３ａ）が止まる状態（球抜き孔１８の第１開放状態）を維持するので、もし仮に球抜き孔１８箇所で流入球がブリッジ状に固まった状態となったとしても、残存部２３ａに位置又は当接する遊技球を含めた状態で前記の固まった状態とすることができ、その後の球抜きレバー２５への操作によって球抜き孔１８の開放領域が第１開放状態よりも大きい第２開放状態となり、この残存部２３ａに位置又は当接していた遊技球が落下し、前記のバランス状態を崩すことができ、球抜き孔１８から遊技球を排出させることができ、球詰まりを低減することができる。よって、球詰まりを低減することができる遊技機を提供することができる。
【００５８】
また、下球受け皿９は、供給されてきた遊技球を当該下球受け皿９に案内する球案内口１３と、当該下球受け皿９の底部１６に形成され且つ球案内口１３からの遊技球を球抜き孔１８に下り案内する傾斜面１６ａとを備え、残存部２３ａは、球抜き孔１８内で傾斜面１６ａに近い箇所に位置している。したがって、下球受け皿９では、その球案内口１３から入ってきた遊技球が傾斜面１６ａを経て球抜き孔１８に最短で案内され、球抜き孔１８内で傾斜面１６ａに近い箇所に開閉板２３の残存部２３ａが止まっているので、遊技球が残存部２３ａに位置又は当接し易く、仮に球抜き孔１８箇所で流入球がブリッジ状に固まった状態となったとしても、残存部２３ａに位置又は当接する遊技球を含めた状態で前記の固まった状態とすることができ、その後の球抜きレバー２５への操作によって残存部２３ａが球抜き孔１８の外側方向に移動するので、この残存部２３ａに位置又は当接していた遊技球が落下し、前記のバランス状態を崩すことができ、球抜き孔１８から遊技球を排出させることができ、球詰まりを低減することができる。
【００５９】
また、開閉板２３を、球抜き孔１８を閉塞状態とする閉位置Ｃと、球抜き孔１８を第１開放状態とする開位置Ｏ１及び球抜き孔１８を第２開放状態とする全開位置ＯＭとに移動可能に設け、開閉板２３を閉方向に付勢するコイルバネ２４を設け、球抜きレバー２５はコイルバネ２４に抗する方向である開方向に操作され、開閉板２３の複数の開位置のうち最大開位置を超えて球抜きレバー２５が開方向に操作されて操作解除されると、コイルバネ２４による付勢力で開閉板２３が閉位置Ｃに戻される。したがって、球抜きレバー２５が、開閉板２３の複数の開位置のうち最大開位置を超えて開方向に操作されて操作解除されると、コイルバネ２４によって開閉板２３が閉位置Ｃに戻され、開閉板２３が複数の開位置で止まること無く一気に閉位置Ｃに戻すことができる。
【００６０】
また、案内部２８，２９及び被案内部３１，３２は、開閉板２３を球抜き孔１８の開閉方向に案内するので、球抜きレバー２５の操作時に開閉板２３を円滑に案内することができる。
【００６１】
以上、本発明の実施形態について詳述したが、本発明はこれらの実施形態に限定されるものではなく、本発明の趣旨を逸脱しない範囲で種々の変更が可能である。
【００６２】
前述の実施形態では、図１０（ｃ）に示すように開閉板２３を開位置Ｏ１に位置させた状態では当該開閉板２３のロック部４３にロックピン３９が係合し、球抜き孔１８の第１開放状態が維持されるが、その後に開閉板２３を全開位置ＯＭに位置させた球抜き孔１８の第２開放状態（図１０（ｄ）参照）を維持するためにはロックピン３９が循環溝４５の右端部に位置したままとなるように操作者が球抜きレバー２５を持ち続けなければならないが、図１２（ａ）に示すように、開閉板２３を全開位置ＯＭに位置させた状態でロックピン３９が係合するロック部４３ｃをロック板３６に形成するとともに、ロック部４３から離脱したロックピン３９をロック部４３ｃに案内するためのピン振り分け部４７ａ及びこのロック部４３ｃから離脱したロックピン３９を循環溝４５側へ案内するためのピン振り分け部４７ｂをロック板３６に形成するようにしてもよい。
【００６３】
つまり、ロック機構２６は、図１２（ａ）に示すように、球抜き孔１８の第１開放状態（球抜き孔１８内に残存部２３ａが止まる状態）後の球抜きレバー２５への開操作に基づいて開閉板２３が全開位置ＯＭに位置する状態でロックピン３９が係合するロック部４３ｃを備えているので、球抜き孔１８の第２開放状態（例えば図１２では全開状態）を維持することができ、操作者が球抜きレバー２５から手を離すことができ、下球受け皿９の遊技球を容易に抜き取ることができる。なお、球抜き孔１８の第２開放状態は、球抜き孔１８の第１開放状態よりも開放領域が大きく且つ球抜き孔１８の全開状態未満のものとしてもよい。
【００６４】
また、図１２（ｂ）に示すように、ロック板３６の循環溝４４に、開閉板２３が小開位置ＯＡとなるようにロックピン３９が係合するロック部４３ａと、開閉板２３が略半開位置ＯＢ（半開位置であってもよい）となるようにロックピン３９が係合するロック部４３ｂとを形成し、ロックピン３９をロック部４３ａに案内するピン案内部４４ａと、ロックピン３９をロック部４３ｂに案内するピン案内部４４ｂとを循環溝４４に形成するようにしてもよい。
【００６５】
この場合には、操作者が球抜きレバー２５を開操作すると、ロックピン３９がピン案内部４４ａによって案内されてロック部４３ａに係合し、開閉板２３が小開位置ＯＡとなる。このときに操作者が球抜きレバー２５から手を離しても開閉板２３の小開位置ＯＡが維持され、球抜き孔１８の小開放状態が維持される。
【００６６】
続いて、球抜きレバー２５を開操作すると、ロックピン３９がピン案内部４４ｂによって案内されてロック部４３ｂに係合し、開閉板２３が略半開位置ＯＢとなる。このときに操作者が球抜きレバー２５から手を離しても開閉板２３の略半開位置ＯＢが維持され、球抜き孔１８の略半開放状態が維持される。
【００６７】
続いて、球抜きレバー２５を開操作すると、ロックピン３９が循環溝４４の右端部まで到達した状態で球抜きレバー２５に対する操作力を解除し、コイルバネ２４のバネ力により開閉板２３がａ矢示方向に若干戻り、ロックピン３９が大開位置ＯＣのロック部４３に係合し、開閉板２３が大開位置ＯＣとなる。このときに操作者が球抜きレバー２５から手を離しても開閉板２３の大開位置ＯＣが維持され、球抜き孔１８の大開放状態が維持される。
【００６８】
なお、開閉板２３を小開位置ＯＡ、略半開位置ＯＢ、大開位置ＯＣの各位置で必ず止めなくてもよく、これらの少なくとも一つの位置で止めるように球抜きレバー２５を操作してもよい。また、図１２  （ａ）に示すように全開位置ＯＭでも維持できるようにしてもよい。
【００６９】
次に、球抜き孔１８を閉じる場合には、球抜きレバー２５を開方向に若干押すように操作すると、コイルバネ２４に抗して開閉板２３がｂ矢示方向に移動し、ロックピン３９がロック部４３から離脱してピン振り分け部４７により循環溝４５側へと案内され、この循環溝４５の右端部まで到達し、開閉板２３が全開位置ＯＭとなり、球抜き孔１８が全開した状態となる。そして、球抜きレバー２５に対する操作力を解除すると、ロックピン３９が循環溝４５に沿って相対的にｂ矢示方向に移動するので、開閉板２３がコイルバネ２４のバネ力により閉方向へとａ矢示方向に移動する。そして、開閉板２３が球抜き孔１８を閉じる閉位置Ｃに到達すると、ロックピン３９がロック部４２に係合して開閉板２３を閉位置Ｃにロックする。
【００７０】
このように球抜き孔１８の開放状態を段階的に保持できるので、前述のブリッジ状の球詰まりを効果的に解消することができる。また、操作者が操作手段から手を離すことができ、球受け皿の遊技球を容易に抜き取ることができる。
【００７１】
また、前述の実施形態では、図４に示すようにコイルバネ２４を用いているが、図１３及び図１４に示すように捩じりコイルバネ５０を用いるようにしてもよい。この捩じりコイルバネ５０は、図１３及び図１４に示すように、開閉板２３を開位置Ｏ１、全開位置ＯＭ及び閉位置Ｃにそれぞれ付勢している。
【００７２】
具体的には、捩じりコイルバネ５０は一対のバネ杆部５１，５２間にコイル部５３を備えている。この捩じりコイルバネ５０は支持カバー２１と開閉板２３との間に介在され、その一端のバネ杆部５１が支持カバー２１のバネ掛け部５４に、他端のバネ杆部５２が開閉板２３のバネ掛け部５５に夫々係止されている。バネ掛け部５４は開閉板２３の摺動範囲内で且つ球抜き孔１８から離れた位置において、後側の案内部２９の近傍で支持カバー２１から突設されている。またバネ掛け部５５は球抜き孔１８を閉じるべく開閉板２３を球抜き孔１８側に位置させた時には、バネ掛け部５４に対して球抜き孔１８側に大きく離間し、球抜き孔１８を開けるべく開閉板２３を開方向に移動させた時には、バネ掛け部５４に対して球抜き孔１８と反対側の近傍に位置するように、開閉板２３の前後方向の前側で且つ球抜き孔１８と反対側に配置されている。
【００７３】
従って、捩じりコイルバネ５０は、開閉板２３が球抜き孔１８側に位置した時には、開閉板２３を閉方向に付勢し、且つ開閉板２３が球抜き孔１８を開放する開位置Ｏ１、全開位置ＯＭに移動した時には、開閉板２３を案内部２８に対して交差方向に付勢し、被案内部３１を前側の案内部２８側へと押圧して開位置Ｏ１，全開位置ＯＭに保持するようになっている。つまり、開閉板２３のバネ掛け部５５が図１３を見た状態においてバネ掛け部５４よりも左側にある場合（例えば図１３（ｂ）参照）には、捩じりコイルバネ５０によって開閉板２３が案内部２８に対して交差方向に付勢されるので、当該開閉板２３をその位置で保持できる。なお、このバネ掛け部５５は開閉板２３に形成された孔により構成されている。
【００７４】
前述した実施形態では、上球受け皿６及び下球受け皿９を備える遊技機を例に挙げて説明しているが、単一の球受け皿を備える遊技機においても同様に実施することが可能である。
【００７５】
また本発明は、アレンジボール機、雀球遊技機等の他の遊技機においても同様に実施することが可能である。
【００７６】
また、上述した実施形態（変形例を含む）のうちいくつかを組み合わせた構成としてもよいし、ある実施形態の一部の手段等（手段、構成、装置、部品、機能、要素、処理ステップ、工程又はこれらの結合）を他の実施形態（いくつかの実施形態を組み合わせたものを含む）に組み合わせた構成としてもよいし、ある実施形態の一部の手段等と他の実施形態における一部の手段等とを組み合わせた構成としてもよいし、ある実施形態の一部の手段等を削除した構成としてもよい。
【符号の説明】
【００７７】
９    下球受け皿（球受け皿）
１３    球案内口（案内口）
１６ａ  傾斜面（傾斜面部）
１８    球抜き孔
２３    開閉板（開閉手段）
２３ａ  残存部
２４    コイルバネ（付勢手段）
２５    球抜きレバー（操作手段）
２６    ロック機構（変位手段）
２８    案内部（案内手段）
２９    案内部（案内手段）
３１    被案内部（案内手段）
３２    被案内部（案内手段）
【図１】
0005480942.tif 000002
【図２】
0005480942.tif 000003
【図３】
0005480942.tif 000004
【図４】
0005480942.tif 000005
【図５】
0005480942.tif 000006
【図６】
0005480942.tif 000007
【図７】
0005480942.tif 000008
【図８】
0005480942.tif 000009
【図９】
0005480942.tif 000010
【図１０】
0005480942.tif 000011
【図１１】
0005480942.tif 000012
【図１２】
0005480942.tif 000013
【図１３】
0005480942.tif 000014
【図１４】
0005480942.tif 000015